(57)【要約】【課題】  マルチメディアデータを容易に作成することができるマルチメディアデータ処理装置、マルチメディアデータ処理方法及びマルチメディアデータ処理プログラムを提供する。【解決手段】  入れ替え対象画像指定部２２は、クライアント端末１２からのマルチメディアデータの配信要求（ＵＲＬ）によって選択されたマルチメディアテンプレートデータに含まれる画像を検出して、検出された画像の中から、配信用画像と入れ替える入れ替え対象画像を指定する。マルチメディアデータ作成部２６は、データ容量調整部２４により処理済みの処理済み配信用画像と入れ替え対象画像を入れ替えて、配信用のマルチメディアデータを作成する。マルチメディアデータ変換部３０は、クライアント端末識別部２８によって識別されたクライアント端末１２の機種に基づいてマルチメディアデータを変換する。こうして変換されたマルチメディアデータは、配信部３２を介してクライアント端末１２に配信される。【選択図】      図１
2007025959.tif 000002
【特許請求の範囲】
【請求項１】
メディアデータと、前記メディアデータの出力態様を規定するシナリオデータとを含むマルチメディアテンプレートデータを記憶するテンプレート記憶手段と、
クライアント端末に配信するための配信用メディアデータを入力するデータ入力手段と、
前記記憶されたマルチメディアテンプレートデータの中から、前記入力された配信用メディアデータを用いてマルチメディアデータを作成するのに使用するマルチメディアテンプレートデータを指定するテンプレート指定手段と、
前記マルチメディアテンプレートデータに含まれるメディアデータの中から、前記配信用メディアデータと入れ替える入れ替え対象メディアデータを指定する入れ替え対象メディアデータ指定手段と、
前記入力された配信用メディアデータを前記入れ替え対象メディアデータと入れ替えて、マルチメディアデータを作成するマルチメディアデータ作成手段と、
を備えることを特徴とするマルチメディアデータ処理装置。
【請求項２】
前記入れ替え対象メディアデータ指定手段は、前記指定されたマルチメディアテンプレートデータに含まれる最初又は最後のメディアデータを、入れ替え対象メディアデータに指定することを特徴とする請求項１記載のマルチメディアデータ処理装置。
【請求項３】
前記入れ替え対象メディアデータ指定手段は、前記指定されたマルチメディアテンプレートデータに含まれる最初又は最後のメディアデータから順に、入れ替え対象メディアデータに指定することを特徴とする請求項１又は２記載のマルチメディアデータ処理装置。
【請求項４】
前記入れ替え対象メディアデータ指定手段は、前記指定されたマルチメディアテンプレートデータに含まれるメディアデータのうち、前記入力された配信用メディアデータのファイルサイズに近い又は前記入力された配信用メディアデータのファイルサイズよりも小さいメディアデータを、入れ替え対象メディアデータに指定することを特徴とする請求項１記載のマルチメディアデータ処理装置。
【請求項５】
ユーザからの操作入力を受け付ける操作入力受付手段を更に備え、
前記マルチメディアデータ作成手段は、前記操作入力により指定されたメディアデータを、入れ替え対象メディアデータに指定することを特徴とする請求項１記載のマルチメディアデータ処理装置。
【請求項６】
前記メディアデータ及び配信用メディアデータは、文字データ、静止画像データ、動画像データ又は音声データのうち少なくとも１つであることを特徴とする請求項１から５のいずれか１項記載のマルチメディアデータ処理装置。
【請求項７】
前記入力された配信用メディアデータのファイルサイズが、前記配信用メディアデータと入れ替えられる入れ替え対象メディアデータのファイルサイズ以下となるように、圧縮、縮小、減色又はビットレートの調整のうち少なくとも１つの処理を施すファイルサイズ調整手段を更に備えることを特徴とする請求項１から６のいずれか１項記載のマルチメディアデータ処理装置。
【請求項８】
クライアント端末から配信要求を受け付けた場合に、前記クライアント端末の種類を識別する識別手段と、
前記作成されたマルチメディアデータを、前記クライアント端末の種類に応じて再生に適した形式に変換するデータ変換手段と、
前記変換されたマルチメディアデータを前記クライアント端末に配信する配信手段と、
を更に備えることを特徴とする請求項１から７のいずれか１項記載のマルチメディアデータ処理装置。
【請求項９】
メディアデータと、前記メディアデータの出力態様を規定するシナリオデータとを含むマルチメディアテンプレートデータを記憶するステップと、
クライアント端末に配信するための配信用メディアデータを入力するステップと、
前記記憶されたマルチメディアテンプレートデータの中から、前記入力された配信用メディアデータを用いてマルチメディアデータを作成するのに使用するマルチメディアテンプレートデータを指定するステップと、
前記マルチメディアテンプレートデータに含まれるメディアデータの中から、前記配信用メディアデータと入れ替える入れ替え対象メディアデータを指定するステップと、
前記入力された配信用メディアデータを前記入れ替え対象メディアデータと入れ替えて、マルチメディアデータを作成するステップと、
を備えることを特徴とするマルチメディアデータ処理方法。
【請求項１０】
メディアデータと、前記メディアデータの出力態様を規定するシナリオデータとを含むマルチメディアテンプレートデータを記憶するテンプレート記憶機能と、
クライアント端末に配信するための配信用メディアデータを入力するデータ入力機能と、
前記記憶されたマルチメディアテンプレートデータの中から、前記入力された配信用メディアデータを用いてマルチメディアデータを作成するのに使用するマルチメディアテンプレートデータを指定するテンプレート指定機能と、
前記マルチメディアテンプレートデータに含まれるメディアデータの中から、前記配信用メディアデータと入れ替える入れ替え対象メディアデータを指定する入れ替え対象メディアデータ指定機能と、
前記入力された配信用メディアデータを前記入れ替え対象メディアデータと入れ替えて、マルチメディアデータを作成するマルチメディアデータ作成機能と、
をコンピュータに実現させることを特徴とするマルチメディアデータ処理プログラム。
【発明の詳細な説明】
【技術分野】
【０００１】
本発明はマルチメディアデータ処理装置、マルチメディアデータ処理方法及びマルチメディアデータ処理プログラムに係り、特に所望のメディアデータを用いてマルチメディアデータを作成する技術に関する。
【背景技術】
【０００２】
従来、インターネット等を介して提供されるマルチメディアデータを作成する技術が開発されている。例えば、特許文献１には、事後編集可能な範囲があらかじめ規定されたマルチメディアテンプレートファイルを作成するテンプレートファイル作成装置について開示されている。
【特許文献１】特開２００３−２８１４６１号公報
【発明の開示】
【発明が解決しようとする課題】
【０００３】
しかしながら、上記の特許文献１に開示されたテンプレートファイル作成装置は、メディアデータを再生出力するタイミングや、規定されたタイミングで再生出力されるメディアデータの選択を、専用のオーサリングアプリケーションを用いて個別に編集する必要があった。マルチメディアデータを作成するためのオーサリングアプリケーションは、操作が非常に難しく、例えば、特定のメディアデータを入れ替えるという単純な編集作業でも操作に熟達しなければ困難であった。
【０００４】
本発明はこのような事情に鑑みてなされたもので、マルチメディアデータを容易に作成することができるマルチメディアデータ処理装置、マルチメディアデータ処理方法及びマルチメディアデータ処理プログラムを提供することを目的とする。
【課題を解決するための手段】
【０００５】
上記目的を達成するために請求項１に係るマルチメディアデータ処理装置は、メディアデータと、前記メディアデータの出力態様を規定するシナリオデータとを含むマルチメディアテンプレートデータを記憶するテンプレート記憶手段と、クライアント端末に配信するための配信用メディアデータを入力するデータ入力手段と、前記記憶されたマルチメディアテンプレートデータの中から、前記入力された配信用メディアデータを用いてマルチメディアデータを作成するのに使用するマルチメディアテンプレートデータを指定するテンプレート指定手段と、前記マルチメディアテンプレートデータに含まれるメディアデータの中から、前記配信用メディアデータと入れ替える入れ替え対象メディアデータを指定する入れ替え対象メディアデータ指定手段と、前記入力された配信用メディアデータを前記入れ替え対象メディアデータと入れ替えて、マルチメディアデータを作成するマルチメディアデータ作成手段とを備えることを特徴とする。
【０００６】
請求項１に係るマルチメディアデータ処理装置によれば、配信用メディアデータを入力して、マルチメディアテンプレートデータを指定するだけで、マルチメディアテンプレートデータに含まれるメディアデータの一部が入れ替えられたマルチメディアデータを自動的に作成することができる。
【０００７】
請求項２に係るマルチメディアデータ処理装置は、請求項１において、前記入れ替え対象メディアデータ指定手段は、前記指定されたマルチメディアテンプレートデータに含まれる最初又は最後のメディアデータを、入れ替え対象メディアデータに指定することを特徴とする。請求項２は、入れ替え対象メディアデータの指定手順を限定したものである。
【０００８】
また、請求項３に係るマルチメディアデータ処理装置は、請求項１又は２において、前記入れ替え対象メディアデータ指定手段は、前記指定されたマルチメディアテンプレートデータに含まれる最初又は最後のメディアデータから順に、入れ替え対象メディアデータに指定することを特徴とする。
【０００９】
請求項４に係るマルチメディアデータ処理装置は、請求項１において、前記入れ替え対象メディアデータ指定手段は、前記指定されたマルチメディアテンプレートデータに含まれるメディアデータのうち、前記入力された配信用メディアデータのファイルサイズに近い又は前記入力された配信用メディアデータのファイルサイズよりも小さいメディアデータを、入れ替え対象メディアデータに指定することを特徴とする。
【００１０】
請求項４は、請求項１において、入れ替え対象メディアデータの指定手順を限定したものである。請求項４に係るマルチメディアデータ処理装置によれば、作成されたマルチメディアデータのファイルサイズが、マルチメディアテンプレートデータのファイルサイズに近い又はそれ以下になる。これにより、マルチメディアテンプレートデータの作成時に、配信対象となるクライアント端末の機種に合わせて、ファイルサイズをあらかじめ調整しておくことができる。
【００１１】
請求項５に係るマルチメディアデータ処理装置は、請求項１において、ユーザからの操作入力を受け付ける操作入力受付手段を更に備え、前記マルチメディアデータ作成手段は、前記操作入力により指定されたメディアデータを、入れ替え対象メディアデータに指定することを特徴とする。
【００１２】
請求項５に係るマルチメディアデータ処理装置によれば、ユーザが入れ替え対象メディアデータを指定することができる。これにより、メディアデータの作成の自由度を高めることができる。
【００１３】
請求項６に係るマルチメディアデータ処理装置は、請求項１から５において、前記メディアデータ及び配信用メディアデータは、文字データ、静止画像データ、動画像データ又は音声データのうち少なくとも１つであることを特徴とする。請求項６は、メディアデータの種類を限定したものである。
【００１４】
請求項７に係るマルチメディアデータ処理装置は、請求項１から６において、前記入力された配信用メディアデータのファイルサイズが、前記配信用メディアデータと入れ替えられる入れ替え対象メディアデータのファイルサイズ以下となるように、圧縮、縮小、減色又はビットレートの調整のうち少なくとも１つの処理を施すファイルサイズ調整手段を更に備えることを特徴とする。
【００１５】
請求項７に係るマルチメディアデータ処理装置によれば、作成されたマルチメディアデータのファイルサイズが、マルチメディアテンプレートデータのファイルサイズ以下になる。これにより、マルチメディアテンプレートデータの作成時に、配信対象となるクライアント端末の機種に合わせて、ファイルサイズをあらかじめ調整しておくことができる。
【００１６】
請求項８に係るマルチメディアデータ処理装置は、請求項１から７において、クライアント端末から配信要求を受け付けた場合に、前記クライアント端末の種類を識別する識別手段と、前記作成されたマルチメディアデータを、前記クライアント端末の種類に応じて再生に適した形式に変換するデータ変換手段と、前記変換されたマルチメディアデータを前記クライアント端末に配信する配信手段とを更に備えることを特徴とする。
【００１７】
請求項８に係るマルチメディアデータ処理装置によれば、クライアント端末の機種に応じて再生に適した形式又はファイルサイズに変換されたマルチメディアデータを配信できる。
【００１８】
請求項９に係るマルチメディアデータ処理方法は、メディアデータと、前記メディアデータの出力態様を規定するシナリオデータとを含むマルチメディアテンプレートデータを記憶するステップと、クライアント端末に配信するための配信用メディアデータを入力するステップと、前記記憶されたマルチメディアテンプレートデータの中から、前記入力された配信用メディアデータを用いてマルチメディアデータを作成するのに使用するマルチメディアテンプレートデータを指定するステップと、前記マルチメディアテンプレートデータに含まれるメディアデータの中から、前記配信用メディアデータと入れ替える入れ替え対象メディアデータを指定するステップと、前記入力された配信用メディアデータを前記入れ替え対象メディアデータと入れ替えて、マルチメディアデータを作成するステップとを備えることを特徴とする。
【００１９】
請求項１０に係るマルチメディアデータ処理プログラムは、メディアデータと、前記メディアデータの出力態様を規定するシナリオデータとを含むマルチメディアテンプレートデータを記憶するテンプレート記憶機能と、クライアント端末に配信するための配信用メディアデータを入力するデータ入力機能と、前記記憶されたマルチメディアテンプレートデータの中から、前記入力された配信用メディアデータを用いてマルチメディアデータを作成するのに使用するマルチメディアテンプレートデータを指定するテンプレート指定機能と、前記マルチメディアテンプレートデータに含まれるメディアデータの中から、前記配信用メディアデータと入れ替える入れ替え対象メディアデータを指定する入れ替え対象メディアデータ指定機能と、前記入力された配信用メディアデータを前記入れ替え対象メディアデータと入れ替えて、マルチメディアデータを作成するマルチメディアデータ作成機能とをコンピュータに実現させることを特徴とする。
【００２０】
請求項１０に係るマルチメディアデータ処理プログラムを、ネットワークを介してコンテンツを配信するためのサーバ等に適用することにより、本発明のマルチメディアデータ処理装置及びマルチメディアデータ処理方法を実現することができる。
【発明の効果】
【００２１】
本発明によれば、配信用メディアデータを入力するだけで、マルチメディアテンプレートデータに含まれるメディアデータの一部が入れ替えられたマルチメディアデータを自動的に作成することができる。
【発明を実施するための最良の形態】
【００２２】
以下、添付図面に従って本発明に係るマルチメディアデータ処理装置、マルチメディアデータ処理方法及びマルチメディアデータ処理プログラムの好ましい実施の形態について説明する。
【００２３】
図１は、本発明の一実施形態に係るマルチメディアデータ処理装置の主要構成を示すブロック図である。同図に示すマルチメディアデータ処理装置１０は、マルチメディアデータを作成し、クライアント端末１２に配信するための装置であり、配信用データ入力部１４、データ記憶部１６、テンプレート記憶部１８、配信要求受信部２０、入れ替え対象画像指定部２２、データ容量調整部２４、マルチメディアデータ作成部２６、クライアント端末識別部２８、マルチメディアデータ変換部３０及び配信部３２を備える。また、マルチメディアデータ処理装置１０は、各種操作メニューやデータ等の表示を行う表示部３４と、ユーザが操作入力を行うための操作部３６を備える。上記の各ブロックは、バス３８を介してデータの送受信が可能となるように接続されている。
【００２４】
同図において、プロバイダ端末１１Ａは、マルチメディアデータを生成するためのコマンドを含むＵＲＬ（Uniform Resource Locator）が記載されたウェブコンテンツを作成する。このウェブコンテンツは、コンテンツ配信サーバ１１Ｂによってクライアント端末１２に配信される。また、プロバイダ端末１１Ａは、配信用メディアデータ及びマルチメディアテンプレートデータをマルチメディアデータ処理装置１０に入力する。
【００２５】
配信用データ入力部１４には、プロバイダ端末１１Ａからクライアント端末１２に配信するための配信用メディアデータが入力される。また、配信用データ入力部１４は、例えば、ＣＤ−ＲＯＭ等の記録メディアから配信用メディアデータを読み取るメディアリーダを備えていてもよい。本実施形態では、配信用メディアデータは、画像（静止画像又は動画像）であり、以下の説明では配信用メディアデータを配信用画像と記載する。データ記憶部１６は、上記入力された配信用画像を記憶する。テンプレート記憶部１８は、配信用画像を用いてマルチメディアデータを作成するためのマルチメディアテンプレートデータを記憶する。
【００２６】
クライアント端末１２は、コンテンツ配信サーバ１１Ｂから配信されたウェブコンテンツに記載されたＵＲＬを用いて、マルチメディアデータ処理装置１０にマルチメディアデータの配信要求を送信する。配信要求受信部２０は、クライアント端末１２から送信されたマルチメディアデータの配信要求を受信する。このＵＲＬは、マルチメディアデータを作成するためのマルチメディアテンプレートデータ及び配信用画像を指定するコマンドを含んでいる。なお、このＵＲＬの出力例については後述する。
【００２７】
入れ替え対象画像指定部２２は、上記ＵＲＬによって選択されたマルチメディアテンプレートデータに含まれる画像を検出して、検出された画像の中から、配信用画像と入れ替える入れ替え対象画像を指定する。データ容量調整部２４は、配信用画像に圧縮、縮小、減色、トリミング、ビットレートの調整等の処理を施して配信用画像のファイルサイズを調整する。データ容量調整部２４は、配信用画像のファイルサイズが、例えば、入れ替え対象画像のファイルサイズ以下になるように処理を行う。データ容量調整部２４によって処理された配信用画像を処理済み配信用画像と記載する。マルチメディアデータ作成部２６は、入れ替え対象画像を処理済み配信用画像と入れ替えて、配信用のマルチメディアデータを作成する。
【００２８】
クライアント端末識別部２８は、マルチメディアデータ処理装置１０に対してマルチメディアデータの配信要求を送信してきたクライアント端末１２の機種（例えば、携帯電話の機種やパーソナルコンピュータ（ＰＣ）、携帯情報端末（ＰＤＡ））を識別する。マルチメディアデータ変換部３０は、クライアント端末１２の機種に基づいて、クライアント端末１２において再生可能な又は再生に適したファイル形式、ファイルサイズにマルチメディアデータを変換する。こうして変換されたマルチメディアデータは、配信部３２を介してクライアント端末１２に配信される。
【００２９】
図２は、マルチメディアテンプレートデータの構成を模式的に示す図である。同図に示すように、マルチメディアテンプレートデータ５０は、ヘッダ（Header）５２及びタグ５４（１，２，…，Ｎ）を含んでいる。
【００３０】
ヘッダ５２には、マルチメディアテンプレートデータ５０のファイルサイズ等の情報が格納される。タグ５４は、それぞれタグコード（tag code）５６、キャラクタＩＤ（Character ID）５８及びオブジェクト６０（１，２，…，Ｎ）を含んでいる。キャラクタＩＤ５８は、マルチメディアテンプレートデータ５０に含まれるオブジェクト６０に一意に付与される符号である。オブジェクト６０は、メディアデータ又はシナリオデータであり、その種類はタグコードによって指定される。メディアデータは、例えば、文字や画像（静止画像、動画像）、音声等のデータである。また、シナリオデータは、マルチメディアデータを表示、再生するタイミングや、表示位置、表示の効果（例えば、移動や点滅）等を規定するデータである。
【００３１】
以下、本発明に係るマルチメディアデータの処理方法の実施の形態について、図３以降を参照して説明する。図３は、本発明の第１の実施形態に係るマルチメディアデータ処理方法を模式的に示す図である。
【００３２】
まず、コンテンツ配信サーバ１１Ｂから配信されたウェブコンテンツ内のＵＲＬを用いて、クライアント端末１２によってマルチメディアデータの配信要求が送信される。下記にＵＲＬの例を示す。なお、マルチメディアテンプレートデータ５０のファイル名を「sample.swf」、処理済み配信用画像６２’のファイル名を「001.jpg」とする。また、文字列「?」及び「&」は、それぞれ画像ファイル名と引数、及び引数間の区切り文字である。
［ＵＲＬの例］
http://example.xxx.co.jp/aaa/001?FFunc=RF&FFtmpl=sample.swf&FFres=centercrop
上記ＵＲＬにおいて、引数「FFunc=RF」は、引数「FFtmpl=sample.swf」により指定されるマルチメディアテンプレートデータ５０「sample.swf」の最初の画像１を処理済み配信用画像６２’「001.jpg」と入れ替えることを意味する。引数「FFres=centercrop」は、画像の縮小方法を示している。なお、上記ＵＲＬでは、処理済み配信用画像６２’「001.jpg」の拡張子は省略されている。
【００３３】
次に、上記ＵＲＬによって指定されたマルチメディアテンプレートデータ内の画像が入れ替え対象画像指定部２２によって検出されて、マルチメディアテンプレートデータ５０の最初の（すなわち、最もヘッダ５２側の）画像１が入れ替え対象画像に指定される。そして、データ容量調整部２４によって配信用画像６２に圧縮、縮小、減色又はトリミング等の処理が施され、処理済み配信用画像６２’が生成される。この処理済み配信用画像６２’は、ファイルサイズが入れ替え対象画像（画像１）のファイルサイズ以下になるように調整されたものである。
【００３４】
また、マルチメディアデータ作成部２６によって、マルチメディアテンプレートデータ５０に含まれる入れ替え対象画像（画像１）が処理済み配信用画像６２’と入れ替えられて、配信用のマルチメディアデータ７０が作成される。そして、クライアント端末識別部３０によってクライアント端末１２の機種が識別され、マルチメディアデータ７０は、クライアント端末１２の機種に応じてマルチメディアデータ変換部３２によって変換されて、クライアント端末１２に配信される。
【００３５】
本実施形態によれば、配信用画像６２を入力して、マルチメディアテンプレートデータ５０を指定するだけで、配信用画像６２を効果的に表示するマルチメディアデータ７０を自動的に作成することができる。
【００３６】
なお、本実施形態では、処理済み配信用画像６２’は、マルチメディアテンプレートデータ５０の最初の画像と入れ替えられるようにしたが、例えば、２番目、３番目、…の画像や最後の画像と入れ替えられるようにしてもよい。また、配信用画像６２は、マルチメディアテンプレートデータ５０内のファイル形式が同じ画像や、配信用画像６２とファイルサイズが近い又は配信用画像６２よりもファイルサイズが大きい画像と入れ替えられるようにしてもよい。これにより、配信用画像６２の変換処理の手間を省くことができる。
【００３７】
また、上記図３の例では、配信用画像６２が１枚であったが、配信用画像が複数（６２−１、６２−２、…）の場合には、図４に示すように、マルチメディアテンプレートデータ５０内の最初又は最後の画像から順番に入れ替えられるようにするとよい。また、各配信用画像６２−１、６２−２、…よりもファイルサイズが近い又は大きい画像と入れ替えられるようにしてもよい。
【００３８】
また、配信用画像の枚数が、マルチメディアテンプレートデータ５０内の画像の枚数よりも多い場合には、配信用画像の枚数を減らすか、ほかのマルチメディアテンプレートデータ５０を選択するように促すメッセージが表示されるようにするとよい。
【００３９】
次に、本発明に係るマルチメディアデータの処理方法の別の実施形態について、図５及び図６を参照して説明する。図５は、本発明の第２の実施形態に係るマルチメディアデータ処理方法を模式的に示す図である。
【００４０】
まず、上記実施形態と同様に、配信要求受信部２０によって受信されたＵＲＬに基づいてマルチメディアテンプレートデータ５０が指定される。本実施形態において、入れ替え対象画像指定部２２は、図６に示す入れ替え対象画像指定ツール６４を備えている。入れ替え対象画像を指定するための入れ替え対象画像指定ファイル６６が、この入れ替え対象画像指定ツール６４によって生成される。
【００４１】
図６は、入れ替え対象指定ファイル６６を生成する工程を模式的に示す図である。なお、同図において、符号６４Ａ〜６４Ｄは、入れ替え対象画像指定ファイル６４を生成する工程の各段階において表示部３４に表示される画面である。
【００４２】
まず、上記のように、ＵＲＬによりマルチメディアテンプレートデータ５０が指定されると（画面６４Ａ）、このマルチメディアテンプレートデータ５０に含まれる画像の一覧が表示される（画面６４Ｂ）。なお、この画面６４Ｂでは、画像がどのような順番又は効果で表示されるか確認できるように、マルチメディアテンプレートデータ５０がプレビューされるようにしてもよい。
【００４３】
次に、ユーザからの操作入力が操作部３６により受け付けられて入れ替え対象画像が指定される（画面Ｃ）。そして、画面Ｄにおいて、入れ替え対象画像として画像２を指定する命令（コマンド）を含む入れ替え対象画像指定ファイル６６が生成される。なお、同図に示すように、入れ替え対象画像指定ファイル６６において、入れ替え対象画像は、その含まれるタグのキャラクタＩＤによって指定されている。
【００４４】
なお、図６の画面Ｃでは、入れ替え対象画像として画像２が選択されているが、実際には、上記ＵＲＬによって指定された配信用画像６２の枚数分の画像及び入れ替え順序を指定することができる。
【００４５】
図５の説明に戻ると、次いで、入れ替え対象画像指定部２２により、この入れ替え対象画像指定ファイル６６が読み出されて、画像２が入れ替え対象画像に指定される。そして、データ容量調整部２２によって配信用画像６２に所定の処理が施され、ファイルサイズが入れ替え対象画像（画像２）のファイルサイズ以下である処理済み配信用画像６２’が生成される。
【００４６】
次に、マルチメディアデータ作成部２６によって、マルチメディアテンプレートデータ５０に含まれる入れ替え対象画像（画像２）が処理済み配信用画像６２’と入れ替えられて、配信用のマルチメディアデータ７０が作成される。また、クライアント端末識別部２８によってクライアント端末１２の機種が識別される。そして、マルチメディアデータ７０は、クライアント端末１２の機種に応じてマルチメディアデータ変換部３０によって変換されて、クライアント端末１２に配信される。
【００４７】
本実施形態によれば、配信用画像６２と入れ替える入れ替え対象画像をユーザが容易に指定することができる。これにより、マルチメディアデータ７０の作成の自由度を高めることができ、ユーザの思い通りのマルチメディアデータ７０を容易に作成できる。
【００４８】
なお、上記の実施形態では、クライアント端末１２からＵＲＬを用いた配信要求が送られてから、マルチメディアデータを作成するようにしたが、あらかじめさまざまなクライアント端末１２の機種に対応したファイル形式又はファイルサイズのマルチメディアデータを作成しておいてもよい。この場合、あらかじめ作成された、さまざまなファイル形式又はファイルサイズのマルチメディアデータは、クライアント端末１２の各機種との対応情報とともにデータ記憶部１６に記憶される。そして、クライアント端末識別部２８によって識別されたクライアント端末１２の機種に応じて、再生に適したマルチメディアデータが、配信部３２によって選択されて配信される。
【００４９】
また、上記の実施形態では、マルチメディアテンプレートデータ５０は、マクロメディア・フラッシュ（Macromedia Flash）により作成されたＳＷＦファイルであるが（登録商標）、例えば、ＳＶＧ（Scalable Vector Graphics）等の他の形式を用いてもよい。また、配信用画像６２及び処理済み配信用画像６２’の形式は、上記のＪＰＥＧ（Joint Photographic Experts Group）形式のほか、ＧＩＦ（Graphic Interchange Format）やＰＮＧ（Portable Network Graphics）等でもよい。
【００５０】
また、上記の実施形態では、配信用画像６２をマルチメディアテンプレートデータ５０内の画像と入れ替えてマルチメディアデータ７０を作成するようにしたが、例えば、文字データや音声データ、音声データを含む画像データ等についても同様の手順によりマルチメディアテンプレートデータ５０内の同様のデータと入れ替えることができる。
【図面の簡単な説明】
【００５１】
【図１】本発明の一実施形態に係るマルチメディアデータ処理装置の主要構成を示すブロック図
【図２】マルチメディアテンプレートデータの構成を模式的に示す図
【図３】本発明の第１の実施形態に係るマルチメディアデータ処理方法を模式的に示す図
【図４】配信用画像が複数の場合のマルチメディアデータ処理方法を模式的に示す図
【図５】本発明の第２の実施形態に係るマルチメディアデータ処理方法を模式的に示す図
【図６】入れ替え対象指定ファイル６６を生成する工程を模式的に示す図
【符号の説明】
【００５２】
１０…マルチメディアデータ処理装置、１１Ａ…プロバイダ端末、１１Ｂ…コンテンツ配信サーバ、１２…クライアント端末、１４…配信用データ入力部、１６…データ記憶部、１８…テンプレート記憶部、２０…配信要求受信部、２２…入れ替え対象画像指定部、２４…データ容量調整部、２６…マルチメディアデータ作成部、２８…クライアント端末識別部、３０…マルチメディアデータ変換部、３２…配信部、３４…表示部、３６…操作部、３８…バス、５０…マルチメディアテンプレートデータ、５２…ヘッダ（Header）、５４…タグ（１，２，…，Ｎ）、５６…タグコード（tag code）、５８…キャラクタＩＤ（Character ID）、６０…オブジェクト（１，２，…，Ｎ）、６２…配信用画像、６２’…処理済み配信用画像、６４…入れ替え対象画像指定ツール、６６…入れ替え対象画像指定ファイル
【図１】
2007025959.tif 000003
【図２】
2007025959.tif 000004
【図３】
2007025959.tif 000005
【図４】
2007025959.tif 000006
【図５】
2007025959.tif 000007
【図６】
2007025959.tif 000008